(57)【特許請求の範囲】
【請求項１】
内部に貯蔵空間が設けられ、該貯蔵空間の選択的な開閉を行うためのドアが取付けられている冷蔵庫本体と、
前記冷蔵庫本体の一側に設けられ、冷蔵庫の動作を制御する制御部と、
前記ドアの正面に設けられて、各種の情報を表示する表示ユニットと、
前記冷蔵庫本体の内部を通過し、入口が前記制御部の内部に連通され、出口が前記ドアの内側の一端に対向するように設けられている導波管と、
前記導波管の内部を挿通し、前記ドアの内側の一端を通過して設けられ、前記制御部と表示ユニットとの間に連結され信号の送受信が行われるケーブルと、
前記ケーブル全体の外周面を取り囲む伝導性遮蔽網とを有し、
前記伝導性遮蔽網の一端が前記制御部の接地部と電気的に連結され、他端は前記表示ユニットの接地部と電気的に連結されることを特徴とするインターネット冷蔵庫の電磁波低減構造。
【請求項２】
前記伝導性遮蔽網は、その両端部全体が前記接地部とそれぞれ接触するように連結されることを特徴とする、請求項１に記載のインターネット冷蔵庫の電磁波低減構造。
【請求項３】
前記伝導性遮蔽網は、伸縮性を有し、ケーブル束の外周面に密着することを特徴とする、請求項１に記載のインターネット冷蔵庫の電磁波低減構造。
【請求項４】
前記導波管は、前記冷蔵庫本体の発泡層内に設けられることを特徴とする、請求項１に記載のインターネット冷蔵庫の電磁波低減構造。
【請求項５】
前記導波管の断面の長軸長さ（ａ）及び短軸長さ（ｂ）により、遮断できる遮断周波数（ｆｃ）は下記式により決定されることを特徴とする、請求項１−４のいずれか１項に記載のインターネット冷蔵庫の電磁波低減構造。
【数１】
0004191471.tif 000003
【発明の詳細な説明】
【０００１】
【発明の属する技術分野】
本発明は冷蔵庫に関し、より詳しくはインターネットと連結されたインターネット冷蔵庫における電磁波の発生を最小化できる冷蔵庫の電磁波低減構造に関する。
【０００２】
【従来の技術】
図１は、従来のインターネット冷蔵庫の外観の正面図であり、図２は、従来のインターネット冷蔵庫の上面を示す平面図である。
【０００３】
図１及び図２において、インターネット冷蔵庫１の内部に、貯蔵空間が設けられており、該貯蔵空間は、ドア３、３′により選択的に開閉される。前記ドア３、３′には、それぞれドア取っ手４、４′が設けられ、ヒンジ部５、５′を中心に開閉される。すなわち、前記ヒンジ部５、５′は、前記ドア３、３′の上端に取付けられ、開閉時に回転の中心となる。前記ドア３、３′の下方端部にもそれぞれヒンジ部（図示せず）が設けられ、ドア３、３′を支持すると共に回転を案内する。
【０００４】
一方、インターネット冷蔵庫１の上端面には、制御部７が設けられ、該制御部７の外観は制御部カバーにより形成され、その内部には、回路基板及び各種部品が組み込まれている。前記部品としては、冷蔵庫自体の機能を制御するための部品やインターネット関連、すなわち、ホームネットワーキングサーバーとしての機能を有する部品などがある。例えば、ディジタルコントローラ、ＬＣＤ制御関連部品、テレビジョン受信関連部品、ＣＣＤカメラモジュール関連部品、スピーカー、及びマイクなどがある。
【０００５】
そして、一方のドア３′には、表示ユニット８が設けられ、該表示ユニット８はＬＣＤスクリーンであり、インターネットウェブサイトなどの各種の情報が表示される。ここで、前記表示ユニット８と制御部７はケーブル９を介して連結されている。
【０００６】
このとき、前記ケーブル９は、前記制御部７に設けられた基板のＩ/Ｏコネクターを介して基板と連結され、前記制御部７の制御部カバーの側面を貫挿して、引き出される。このように制御部カバーの側面を貫挿して、引き出されたケーブル９は、前記ヒンジ部５′内部のヒンジ軸を貫挿し、前記ドア３′の内部に連結され、さらに、前記ドア３′内部の前記表示ユニット８のＩ/Ｏ 端子と接続されている。参照符号１０は、ディスペンサーを示す。
【０００７】
上記のような構成のインターネット冷蔵庫では、前記表示ユニット８にインターネットウェブサイトなどの情報が示され、ユーザはこの情報を用いて所望のホームネットワーキングを行うようになる。
【０００８】
然るに、以上のような従来のインターネット冷蔵庫においては、次のような問題点があった。
【０００９】
一般に、インターネット冷蔵庫には、冷蔵庫自体の機能を行うための部品以外にもインターネットの利用及びホームネットワーキングのための部品が設けられているので、多量の電磁波が発生し、電磁波障害（ＥＭＩ）が問題となる。
【００１０】
これに対し、従来のインターネット冷蔵庫においては、前記制御部７から表示ユニット８へ連結される前記ケーブル９に、電磁波を遮蔽するための構成が備えておらず、電磁波がそのまま放射されるという問題があった。特に、前記ケーブル９が制御部カバーからヒンジ部５′に連結される従来の構造では、電磁波を遮蔽するための構造を提供することが非常に難しいという問題があった。
【００１１】
【発明が解決しようとする課題】
本発明は、上記問題に鑑みなされたものであって、インターネット冷蔵庫から発生する電磁波を最小化できる冷蔵庫の電磁波低減構造を提供することを目的とする。
【００１２】
【課題を解決するための手段】
上記の目的を達成するため、本発明に係るインターネット冷蔵庫の電磁波低減構造においては、内部に貯蔵空間が設けられ、貯蔵空間の選択的な開閉を行うためのドアが取付けられた冷蔵庫本体と、
前記冷蔵庫本体の一側に設けられ、冷蔵庫の動作を制御する制御部と、
前記ドアの正面に設けられ、各種の情報を表示する表示ユニットと、入口が前記制御部の内部に連通され、前記冷蔵庫本体の内部を通過して、出口が前記ドアの内側の一端に対向するように設けられる導波管と、
前記導波管の内部を挿通し、前記制御部と表示ユニットとの間に連結され信号の送受信が行われるケーブルと、
前記ケーブル全体の外周面を取り囲む伝導性遮蔽網とを備えることを特徴とする。
【００１３】
また、前記伝導性遮蔽網は、その一端が前記制御部の接地部と電気的に連結され、他端は前記表示ユニットの接地部と電気的に連結される。さらに、前記伝導性遮蔽網は、その両端部全体が、前記接地部とそれぞれ接触するように連結される。
【００１４】
また、前記伝導性遮蔽網は、伸縮性を有してケーブル束の外周面に密着する。
【００１５】
また、前記導波管は、前記冷蔵庫本体の発泡層内に設けられる。
【００１６】
本発明に係るインターネット冷蔵庫の電磁波低減構造によれば、冷蔵庫本体に設けられている制御部と、ドアに設けられている表示ユニット間を連結するケーブルを通して放射される電磁波を最小化できる効果を有する。
【００１７】
【発明の実施の形態】
以下、本発明の好ましい実施の形態を、添付図面に基づいて詳しく説明する。
【００１８】
図３は、本発明に係るインターネット冷蔵庫の電磁波低減構造の好ましい実施形態の部分斜視図であり、図４は、本実施形態による、導波管の内部にケーブルが設けられている状態を示す部分斜視図であり、図５は、本発明に係るインターネット冷蔵庫の電磁波低減構造の概念図である。
【００１９】
図３〜図５において、冷蔵庫本体２０の前面には、冷蔵庫本体２０の内部に設けられている貯蔵空間を選択的に開閉するドア２２が取付けられ、該ドア２２は、ヒンジ部２４を中心にその先端が開閉自在に回転される。
【００２０】
また、前記ドア２２の前面には、表示ユニット３０が設けられており、該表示ユニット３０は、冷蔵庫の動作に関連する各種の情報やホームネットワーキングを行うための情報が表示される。
【００２１】
さらに、前記冷蔵庫本体２０の上端面には、制御部４０が設けられており、該制御部４０は、その内部に基板を有し冷蔵庫自体の機能を制御するための部品やホームネットワーキングを行うための部品を備えている。また、前記制御部４０は、制御部カバー４２により遮蔽され、該制御部カバー４２によりその外観が構成される。
【００２２】
一方、導波管５０は、その一端が前記制御部４０の内部、すなわち、前記制御部カバー４２により遮蔽されている空間と連通され、他端が、前記冷蔵庫本体２０の前面に連通されるように設けられている。つまり、前記導波管５０の入口は、前記冷蔵庫本体２０の上端面を貫通し、制御部カバー４２により形成される空間を向いて開口され、前記導波管５０の出口は、冷蔵庫本体２０の前面に開口され、ドア２２の一側と対向する。ここで、前記導波管５０の出口と対向するドア２２には、後述するケーブル６０の挿通のための通孔が、前記表示ユニット３０のＩ/Ｏ端子に至るまで連通するように設けられている。
【００２３】
また、前記導波管５０は、金属製の材料を用いて形成することが好ましく、前記冷蔵庫本体２０の内部に形成された断熱層内に設けられ、かつ本実施形態において、前記導波管５０はおよそ「Ｌ」字状に構成されているが、導波管は、これに限定されるものでなく、冷蔵庫の設計条件に従い変更することができる。さらに、導波管５０の断面形状も四角形に示されているが、これに限定されるものではない。
【００２４】
前記導波管５０は、高周波帯域の電磁波を遮断する機能を有し、その断面形状、より正確には、断面の長軸長さ（a）及び短軸長さ（b）により、遮断できる遮断周波数（ｆc）が下記式により決定される。
【００２５】
【数１】
0004191471.tif 000002
【００２６】
上記の式から分かるように、例えば、断面矩形の導波管において、長軸長さa、短軸長さｂの関数により遮断周波数が決定される。
【００２７】
さらに、前記導波管５０の内部には、ケーブル６０が設けられており、該ケーブル６０は、前記制御部４０と表示ユニット３０との間に連結され電気的信号を送受信する。
【００２８】
また、前記ケーブル６０は、複数個が一束にまとめられているが、前記ケーブル６０の束は、伝導性遮蔽網７０により取り囲まれており、該伝導性遮蔽網７０は、伝導性ワイヤーにより伸縮性を有する網状に編み合わせられている。これにより、前記伝導性遮蔽網７０は、前記ケーブル６０の束の外周面に密着して、該ケーブル６０を取り囲んで一束にまとめる。
【００２９】
このような伝導性遮蔽７０は、その両端部が、図５に示すように、制御部４０及び表示ユニット３０の接地部４０ｇ及び３０ｇにそれぞれ連結されている。このとき、前記伝導性遮蔽網７０は、その両端部の３６０°全体にわたり前記接地部４０ｇ及び３０ｇと間隙なく連結される。よって、前記伝導性遮蔽網７０の両端部の間には電位差が生じなくなり、これにより、前記伝導性遮蔽網７０は、前記ケーブル６０から放射される電磁波が外部に放出されないように遮蔽する。
【００３０】
以下、このように構成される本発明によるインターネット冷蔵庫の電磁波低減構造の作用について説明する。
【００３１】
本発明による前記導波管５０は、冷蔵庫本体２０の断熱層内部に設けられ、かつ、前記導波管５０の入口は、前記制御部４０の制御部カバー４２により形成される内部空間と連通されると共に、該導波管５０の出口は、前記ドア２２の裏面に対応する位置に開口される。
【００３２】
このような導波管５０の内部には、伝導性遮蔽網７０により取り囲まれたケーブル６０が挿通し、このとき、前記伝導性遮蔽網７０の両端部は、それぞれ前記制御部４０の接地部４０ｇと、表示ユニット３０の接地部３０ｇとに電気的に連結される。
【００３３】
特に、前記接地部４０ｇ及び３０ｇと伝導性遮蔽網７０とを電気的に連結するときには、前記伝導性遮蔽網７０の両端部の周囲全体が接地部４０ｇ及び３０ｇに連結され、電位差が生じないようにする必要がある。これは、電位差により前記伝導性遮蔽網７０が包含するケーブル６０が電磁波を放射する一つのアンテナのような役割をすることを防止するためである。また、前記接地部４０ｇ及び３０ｇと前記伝導性遮蔽網７０の端部縁全体を間隙なく接触させることにより、物理的にも電磁波が漏洩する間隙を相対的に減らすことになる。
【００３４】
本発明においては、前記導波管５０及び伝導性遮蔽網７０により、電磁波が遮蔽されるが、具体的には、前記導波管５０は高周波帯域の電磁波を遮蔽し、前記伝導性遮蔽網７０は相対的に低周波帯域の電磁波を遮蔽するようになっている。
【００３５】
先ず、前記導波管５０は、制御部４０に組み込まれている部品の電磁波放射特性によってその断面形状が決定されるが、これは、前記導波管５０の断面形状により伝送可能な周波数の限界が決まるためである。このとき、限界となる周波数を遮断周波数（カットオフ周波数）と言い、遮断周波数に対する波長を遮断波長（カットオフ波長）と言う。このように、前記導波管５０においては、遮断周波数よりも高い周波数の電磁波は伝播されるが、前記遮断周波数よりも低い周波数の電磁波は遮断されるようになり、一種の高域通過フィルタとしての機能を有するようにする。
【００３６】
そして、前記伝導性遮蔽網７０は、その両端部全体がそれぞれ接地部４０ｇ及び３０ｇに接触して連結され、電位差が生じなくなり、前記ケーブル６０から発生する電磁波の外部への放出を防止する役割をする。
【００３７】
一方、図６及び図７は、実験により観察した電磁波低減程度を示すグラフであって、図６は、従来技術による電磁波特性、図７は、本発明による電磁波特性である。
【００３８】
これら図示のように、本発明による電磁波遮断特性は、従来に比べ格段に優れていることが分かる。
【００３９】
【発明の効果】
以上のように、本発明に係る冷蔵庫の電磁波低減構造によると、制御部と表示ユニットとを連結するケーブルを伝導性遮蔽網の内に収納して、導波管の内部に位置させたので、前記導波管により高周波帯域の電磁波放射を遮断し、伝導性遮蔽網によりケーブルから発生する電磁波の外部への放出を遮断して、相対的にインターネット冷蔵庫から発生する電磁波を最小化できる効果を有する。
【図面の簡単な説明】
【図１】従来の技術によるインターネット冷蔵庫の外観の正面図である。
【図２】従来の技術によるインターネット冷蔵庫の上面を示す平面図である。
【図３】本発明に係るインターネット冷蔵庫の電磁波低減構造の好ましい実施形態を示す部分斜視図である。
【図４】本発明の実施形態に従い導波管の内部にケーブルが設けられた状態を示す部分斜視図である。
【図５】本発明に係るインターネット冷蔵庫の電磁波低減構造を示す概念図である。
【図６】従来の技術による電磁波特性を示すグラフである。
【図７】本発明による電磁波特性を示すグラフである。
【符号の説明】
２０…冷蔵庫本体
２２…ドア
２４…ヒンジ部
３０…表示ユニット
４０…制御部
４２…制御部カバー
５０…導波管
６０…ケーブル
７０…伝導性遮蔽網
【図１】
0004191471.tif 000004
【図２】
0004191471.tif 000005
【図３】
0004191471.tif 000006
【図４】
0004191471.tif 000007
【図５】
0004191471.tif 000008
【図６】
0004191471.tif 000009
【図７】
0004191471.tif 000010